(57)【要約】【課題】使用中に剥がれにくい美容マスクを提供する。【解決手段】この美容マスクは、マスク本体１と耳掛け部２とが連接されてなる。耳掛け部２は、マスク本体１の左右に設けられている。一枚の不織布を打ち抜くことによって、同体のマスク本体１と耳掛け部２とを形成して、美容マスクを得ることができる。また、別体の不織布製マスク本体１と不織布製耳掛け部２の端縁同士を、軟化又は溶融させて、マスク本体１と耳掛け部２とを融着接合によって連接させて、美容マスクを得ることもできる。マスク本体１の片面には薬剤層３が塗布されている。そして、薬剤層３が顔面の顎下に当接するようにして、マスク本体１を顎下に貼着し、左右の耳掛け部２を、各々、左右の耳に係止して使用する。このとき、左右の耳掛け部２を引っ張って顎下に貼着すると、不織布よりなるマスク本体１には伸長応力が働き、顎下のたるみを持ち上げた状態で、マスク本体１が顎下に密着する。【選択図】    図１０
2005013486.tif 000002
【特許請求の範囲】
【請求項１】
薬剤層が塗布されてなるマスク本体と、該マスク本体の左右に連接されてなる耳掛け部とからなり、該マスク本体は、該薬剤層が肌に当接するようにして、顔面の所定の箇所に適用され、該耳掛け部は、該マスク本体が顔面に適用されたとき、左右の耳に係止されうるようになっている耳掛け部を具備した美容マスク。
【請求項２】
薬剤層が塗布されてなるマスク本体と、該マスク本体の左右に連接されてなる耳掛け部とからなり、該マスク本体は、該薬剤層が肌に当接するようにして、顔面の顎下に適用され、該耳掛け部は、該マスク本体が顔面の顎下に適用されたとき、左右の耳に係止されうるようになっている耳掛け部を具備した美容マスク。
【請求項３】
マスク本体と耳掛け部とは同体の不織布よりなる請求項１又は２記載の耳掛け部を具備した美容マスク。
【請求項４】
不織布を打ち抜くことによってマスク本体と耳掛け部とを作成する請求項３記載の耳掛け部を具備した美容マスク。
【請求項５】
マスク本体と耳掛け部とが別体の不織布からなり、該マスク本体と該耳掛け部とは、別体の不織布間の融着接合により連接されている請求項１又は２記載の耳掛け部を具備した美容マスク。
【請求項６】
耳掛け部を伸長して左右の耳に係止したとき、マスク本体には伸長応力が働き、その結果、該マスク本体が顔面の所定の箇所に、密着する請求項１乃至５のいずれか一項に記載の耳掛け部を具備した美容マスク。
【発明の詳細な説明】
【０００１】
【発明の属する技術分野】
本発明は、顔面の肌の老化防止や疲れ防止などの美容のために用いる美容マスクに関するものである。
【０００２】
【従来の技術】
顔面の肌の老化防止などの美容のため、美容マスクを用いることが行われている。この美容マスクは、不織布などの基布に、保湿剤などを含む薬剤層を塗布したものである。美容マスクの使用方法は、薬剤層が顔面の肌に当接するようにして、顔面に数十分間貼着するというものである。
【０００３】
従来の美容マスクは、以下のような形状のものである。たとえば、顔面の目のまわりに適用する美容マスクは、略楕円形状で目の部分が打ち抜かれたものである。また、顔面の顎下から頬に亙る部位に適用する美容マスクは、略ドッグボーン形状となっている。また、頬に適用する美容マスクは、略楕円形状となっている。すなわち、顔面の適用箇所に合わせた形状となっている。これらの美容マスクは、いずれのものも、薬剤層の粘着性によってのみ、顔面に貼着するものであるため、数十分間の使用中に、剥がれてしまうという欠点があった。特に、使用中に、掃除や洗濯などを行う場合には、顔面がよく動くため、簡単に剥がれてしまうという欠点があった。
【０００４】
このため、美容マスクに係止手段を設けたものが提案されている（特許文献１）。すなわち、美容マスク本体の左右に係止片を設け、この係止片の端部に面ファスナーを付設し、頭部の後ろで面ファスナーを係合しうるようにした美容マスクが提案されている。
【０００５】
【特許文献１】
特開平８−１３１２５４号公報（第１頁の図面）
【０００６】
【発明が解決しようとする課題】
しかしながら、この美容マスクの場合、これを顎下（下顎）に適用しようとすると、頭部の頂部で面ファスナーを係合することになり、髪の毛に面ファスナーが引っ掛かりやすく、使用しづらいということがあった。また、この美容マスクは、面ファスナーで係合されているだけなので、未だ剥がれやすいということがあった。そこで、本発明は、顔面の耳を係止部として利用することにより、美容マスクを顎下に適用した場合でも、何ら問題なく、使用しうるようにしたものである。
【０００７】
【課題を解決するための手段】
すなわち、本発明は、薬剤層が塗布されてなるマスク本体と、該マスク本体の左右に連接されてなる耳掛け部とからなり、該マスク本体は、該薬剤層が肌に当接するようにして、顔面の所定の箇所に適用され、該耳掛け部は、該マスク本体が顔面に適用されたとき、左右の耳に係止されうるようになっている耳掛け部を具備した美容マスクに関するものである。
【０００８】
本発明に係る美容マスクは、マスク本体と耳掛け部とが連接されてなるものである。耳掛け部は、マスク本体の左右に連接されている。連接されているとは、両者が分離不能な状態となっていることをいう。具体的には、マスク本体と耳掛け部とが同体の基布からなっていたり、又は別体であっても強固に両者が接合していたりする。同体の場合、一枚の基布を打ち抜いて、マスク本体と耳掛け部とを形成することができる。また、別体の場合、たとえばマスク本体と耳掛け部との接合端を溶融又は軟化させて、融着接合することによって、両者を連接することができる。
【０００９】
マスク本体と耳掛け部の基布としては、一般的に、不織布が用いられる。不織布は、多数の繊維が集積され、且つこの繊維相互間が結合又は絡合しているものである。したがって、この一枚の不織布を打ち抜いて、マスク本体と耳掛け部とを形成しても、打ち抜き端がほつれにくいので、好ましい。また、繊維として熱可塑性繊維を用いれば、熱及び／又は圧力で溶融又は軟化させることができ、融着接合によって、マスク本体と耳掛け部とを連接することができる。さらに、不織布は、多数の繊維の集積体であるため、構造的に、ある程度の伸縮性を持っている。したがって、伸長して耳掛け部を耳に係止すると、マスク本体には伸長応力が働き、マスク本体が顔面に密着することになる。
【００１０】
マスク本体の片面には、薬剤層が塗布されている。薬剤層は、保湿剤などの種々の薬剤が含有されてなるものであり、従来公知のものであれば、どのようなものでも採用することができる。具体的には、吸水性高分子ゲルに、若干量の水と共に保湿剤などの薬剤を吸水含有させたものであり、その表面が若干の粘着性を持つ薬剤層が用いられる。
【００１１】
この美容マスクは、以下のようにして使用される。すなわち、顔面の肌に、マスク本体の片面に塗布された薬剤層が当接するようにして、マスク本体を顔面に貼着する。そして、マスク本体の左右に連接された耳掛け部を、各々、対応する左右の耳に係止するのである。顔面の肌が顎下であるときは、マスク本体に塗布された薬剤層が顎下に当接するようにして、マスク本体を顎下に貼着する。特に、顎下は老化に伴い、たるみが顕著になる部分であるため、左右の耳掛け部を引っ張り、不織布からなるマスク本体の伸長応力によって、たるみを持ち上げながら、耳掛け部を左右の耳に係止するのが良い。
【００１２】
【発明の効果】
本発明に係る美容マスクは、マスク本体を顔面の肌に貼着した後、耳掛け部を耳に係止するから、マスク本体が顔面から剥がれにくくなる。特に、マスク本体を顔面の顎下に貼着した場合、マスク本体が顎下から剥がれ落ちにくくなるという効果を奏する。
【００１３】
また、マスク本体及び耳掛け部が不織布で形成されているときは、不織布の構造的な伸縮性により、耳掛け部を引っ張りながら、耳に係止すると、マスク本体と耳掛け部とは連接されているので、マスク本体に伸長応力が働く。この結果、マスク本体が、貼着されている顔面に密着し、薬剤層の効能がより強く発揮されるという効果を奏する。また、このような使用方法を顎下に適用した場合には、顎下はマスク本体の伸長応力によって、そのたるみが持ち上げられた状態でマスク本体が密着し、たるみが少なくなった状態で、薬剤層の効能が働き、顎下のたるみによる老化を防止しやすくなるという効果も奏する。
【００１４】
【実施例】
以下、実施例に基づいて、本発明を説明する。各図は、いずれも、本発明の種々の例に係る美容マスクの平面形状を示したものである。図１は、トラック形状の美容マスクの平面図であり、図２は図１の背面図である。背面側が顔面の肌に当接する部分であり、マスク本体１に薬剤層３が塗布されている。そして、マスク本体１には耳掛け部２が連接されている。図３は、他の例に係る美容マスクの平面図であり、耳掛け部２を引っ張って伸長したとき、マスク本体１に大きな伸長応力が負荷されやすいような形状としたものである。また、図４乃至図８も、他の例に係る美容マスクの平面図であり、いずれも、なるべくマスク本体１に大きな伸長応力が負荷されやすいような形状としたものである。なお、図３乃至図８では、平面図のみを示し、背面図は省略した。これらの背面図には、図２と同様に、薬剤層（図示せず）がマスク本体に塗布されている。
【００１５】
図９及び図１０は、本発明の一例に係る美容マスクを、顎下に適用して使用した状態を示した図である。図９は正面図であり、図１０は側面図である。本発明に係る美容マスクは、このように顎下に適用するのに、特に適したものである。
なお、顎下は、顔面の中でも、たるみやすい箇所であり、もっとも老化が現れやすい箇所である。したがって、本発明に係る美容マスクを、顎下に適用し、しかも、そのたるみを前述の如き方法で持ち上げるようにして使用すれば、顎下のたるみを防止できるのである。
【００１６】
【産業上の利用可能性】
以上のように、本発明に係る美容マスクは、顔面の肌の老化などを防止できるので、女性の顔の手入れに好ましく用いられるものである。
【図面の簡単な説明】
【図１】本発明の一例に係る美容マスクの平面図である。
【図２】図１の美容マスクの背面図である。
【図３】本発明の他の例に係る美容マスクの平面図である。
【図４】本発明の他の例に係る美容マスクの平面図である。
【図５】本発明の他の例に係る美容マスクの平面図である。
【図６】本発明の他の例に係る美容マスクの平面図である。
【図７】本発明の他の例に係る美容マスクの平面図である。
【図８】本発明の他の例に係る美容マスクの平面図である。
【図９】本発明の一例に係る美容マスクを、顔面の顎下に適用した状態を示した正面図である。
【図１０】図９の状態の側面図である。
【符号の説明】
１    マスク本体
２    耳掛け部
３    薬剤層
【図１】
2005013486.tif 000003
【図２】
2005013486.tif 000004
【図３】
2005013486.tif 000005
【図４】
2005013486.tif 000006
【図５】
2005013486.tif 000007
【図６】
2005013486.tif 000008
【図７】
2005013486.tif 000009
【図８】
2005013486.tif 000010
【図９】
2005013486.tif 000011
【図１０】
2005013486.tif 000012